(57)【要約】【課題】線ばねを用いたスイッチレバーの高級感を低下させない照明器具を提供する。【解決手段】上面の縁部付近に軸受け部１７を有するとともに、点灯切り替え操作を行う引き紐付きスイッチ５を有する器具本体１と、先端部に引き紐挿通部１５を曲成し後端部を折曲して軸部１６とした松葉形線ばねであって、軸受け部１７に軸部１６が嵌合するとともに引き紐挿通部１５に引き紐２０を挿通し、軸受け部１７を中心に引き紐挿通部１５が器具本体１よりも外方に倒れた使用状態と、引き紐挿通部１５が器具本体１の内方に位置する収納状態との間を回動可能なスイッチレバー１４と、スイッチレバー１４を被覆するカバー２３を備える。【選択図】　　図１
2004022423.tif 000002
【特許請求の範囲】
【請求項１】
上面の縁部付近に軸受け部を有するとともに、点灯切り替え操作を行う引き紐付きスイッチを有する器具本体と、
線ばねの先端部に引き紐挿通部を曲成し後端部を折曲して軸部としたものであって、前記軸受け部に前記軸部が嵌合するとともに前記引き紐挿通部に前記引き紐を挿通し、前記軸受け部を中心に前記引き紐挿通部が前記器具本体よりも外方に倒れた使用状態と、前記引き紐挿通部が前記器具本体の内方に位置する収納状態との間を回動可能なスイッチレバーと、
前記使用状態のスイッチレバーに取付けられて前記スイッチレバーを被覆するカバーとを備えた照明器具。
【請求項２】
前記カバーは前記スイッチレバーに引掛ける引掛部を有する請求項１記載の照明器具。
【請求項３】
前記線ばねは前記引き紐挿通部を先端とする松葉形であって、軸部は前記線ばねの両端に互いに反対向きに設けられ、前記引掛部は前記スイッチレバーの軸部が前記軸受け部から外れるのを規制する請求項２記載の照明器具。
【請求項４】
前記カバーは前記器具本体への係止部を有する請求項２または請求項３記載の照明器具。
【発明の詳細な説明】
【０００１】
【発明の属する技術分野】
この発明は、引き紐を案内するスイッチレバーを有する照明器具に関するものである。
【０００２】
【従来の技術】
従来の照明器具は、図５から図７に示すように照明器具の器具本体５０を有し、ランプ５１を点灯させる点灯回路５２と、その絶縁を保持する絶縁板５３と、ランプ５１の点灯切替を行うスイッチ５４を器具本体５０に取付けている。またこれらの部品を覆う本体カバー５５と、グローブ５６を保持する受け金具５７を器具本体５０に取付け、本体カバー５５にランプ５１を保持するランプ支持ばね５８を設けている。器具本体５０の裏面に引き紐６３を引き出せるようにするため、本体裏面にスイッチレバー６０を取り付け、それをガイドとして引き紐を引き出している。引き紐６３使用時には照明器具を天井に取付ける際にスイッチレバー６０を図６に示すように器具本体５０の軸受け部６２を支点に器具本体５０の外側に反転させて器具本体５０の固定爪６４に引っ掛けて引き紐操作を行う。引き紐６３を使用しない場合はスイッチレバー６０を破線で示す状態に回動したまま照明器具を天井に取付ける。
【０００３】
スイッチレバー６０の外れ防止は図７に示すように、器具本体５０の固定爪６４で兼用しており、これはユーザによる操作で行われる。
【０００４】
【発明が解決しようとする課題】
ユーザによる引き紐操作時のスイッチレバー６０の変形防止のため強度を上げていることにより、スイッチレバー６０の収納および引き出しの操作時に器具本体５０の固定爪６４に引っ掛けるためにスイッチレバー６０をつまむ大きな力が必要となり、このためスイッチレバー６０を変形させる可能性もあった。また、固定爪６４に引掛ける際に、スイッチレバー６０を内側につまんで器具本体５０の外側に反転させていく途中で、軸受け部６２から外れる可能性があった。
【０００５】
さらに、ばねの形状が高級感を低下させるといった外観上の課題もあった。
【０００６】
したがって、この発明の目的は、線ばねを用いたスイッチレバーの高級感を低下させず、スイッチレバーの外れを防止でき、また、スイッチレバーの収納および引出しの操作性が良好な照明器具を提供することである。
【０００７】
【課題を解決するための手段】
請求項１記載の照明器具は、上面の縁部付近に軸受け部を有するとともに、点灯切り替え操作を行う引き紐付きスイッチを有する器具本体と、
線ばねの先端部に引き紐挿通部を曲成し後端部を折曲して軸部としたものであって、前記軸受け部に前記軸部が嵌合するとともに前記引き紐挿通部に前記引き紐を挿通し、前記軸受け部を中心に前記引き紐挿通部が前記器具本体よりも外方に倒れた使用状態と、前記引き紐挿通部が前記器具本体の内方に位置する収納状態との間を回動可能なスイッチレバーと、
前記使用状態のスイッチレバーに取付けられて前記スイッチレバーを被覆するカバーとを備えたものである。
【０００８】
請求項１記載の照明器具によれば、スイッチレバーを引き出している状態で、ばね材が直視できないため、外観上の品位の低下を抑えることができる。
【０００９】
請求項２記載の照明器具は、請求項１において、前記カバーが前記スイッチレバーに引掛ける引掛部を有するものである。
【００１０】
請求項２記載の照明器具によれば、請求項１と同様な効果のほか、カバーの取付けが容易にできる。
【００１１】
請求項３記載の照明器具は、請求項２において、前記線ばねが前記引き紐挿通部を先端とする松葉形であって、軸部は前記線ばねの両端に互いに反対向きに設けられ、前記引掛部は前記スイッチレバーの軸部が前記軸受け部から外れるのを規制するものである。
【００１２】
請求項３記載の照明器具によれば、請求項２と同様な効果のほか、スイッチレバーを覆うカバーにスイッチレバーの保持機構兼外れ防止機構を有することにより、スイッチレバーを本体外側に反転させて引き出す際に、ユーザ操作によるスイッチレバーをつまむ力が大きくなることやスイッチレバーが外れることを防止できる。
【００１３】
請求項４記載の照明器具は、請求項２または請求項３において、前記カバーが前記器具本体への係止部を有するものである。
【００１４】
請求項４記載の照明器具によれば、請求項２または請求項３と同様な効果のほか、カバーに器具本体への係合部を設けることで、スイッチレバーを反転させて器具本体に引掛けるだけでスイッチレバーを保持固定できるため、引き紐を引いてもスイッチレバーを確実に固定でき天井に当たることもないとともにスイッチレバーの使用および収納の操作性を向上させることができる。
【００１５】
【発明の実施の形態】
この発明の一実施の形態を図１から図４により説明する。すなわち、この照明器具は、器具本体１と、本体カバー２と、グローブ３とを有する。
【００１６】
器具本体１は天井直付け用であり、下面中央に絶縁板４および点灯切り替え操作を行う引き紐きスイッチ５を設け、絶縁板４に点灯回路ブロック６を取付けている。
【００１７】
本体カバー２はこれらの部品を被覆するように器具本体１の下面に取付けられる。本体カバー２にランプソケット７およびランプ支持ばね８が設けられ、ランプソケット７に環形ランプ９が装着され、かつランプ支持ばね８に支持される。
【００１８】
器具本体１の本体カバー２よりも外側の下面周縁部に受け金具１１が設けられ、グローブ３の開口縁部に設けた引掛部１０を、グローブ３を回動することにより受け金具１１に引っ掛けて係止する。
【００１９】
また器具本体１は、上面の縁部付近にその縁部に沿う方向を軸方向とした一対の軸受け部１７を切起こしまたは切曲げにより形成している。線ばねの先端部に引き紐挿通部１５を曲成し後端部を折曲して軸部１６としたスイッチレバー１４を用意し、軸受け部１７に軸部１６を嵌合している。実施の形態のスイッチレバー１４は、例えば引き紐挿通部１５を輪状にした松葉形であって軸部１６は反対向きに一対設け、軸受け部１７を中心に引き紐挿通部１５が器具本体１よりも外方に倒れた使用状態と、引き紐挿通部１５が器具本体１の内方に位置する収納状態との間を回動可能である。
【００２０】
引き紐付きスイッチ５に設けた引き紐２０は器具本体１に形成した挿通孔２１を通して器具本体１の上面に引出し、引き紐挿通部１５に挿通し、端部につまみ２２を設けている。
【００２１】
カバー２３は使用状態のスイッチレバー１４に取付けられてスイッチレバー１４の下面を被覆する。このカバー２３はスイッチレバー１４の外形に相似な外形を有し、両側の側部２３ａは図４に示すように頂部側が低く端部側が高い傾斜をなし頂部で連続しており、カバー２３をスイッチレバー１４の下面より冠合する。この場合、引き紐挿通部１５に対応する挿通孔２４を先端部に形成し、かつ先端部に引き紐挿通部１５に引っ掛ける第１の引掛部２５を形成し、スイッチレバー１４の後端部に引掛ける第２の引掛部２６を有する。第２の引掛部２６はＬ字形をなしスイッチレバー１４の後端部の内側に係止してスイッチレバー１４の後端部の相互間隔が狭まるのを規制し、これにより第２の引掛部２６はスイッチレバー１４の軸部１６が軸受け部１７から外れるのを防止する。カバー２３はスイッチレバー１４の後端部を若干広げて第２の引掛部２６に係止し、スイッチレバー１４の後端側にスライドして第１の引掛部２５を引き紐挿通部１５の外周縁に引っ掛ける。スイッチレバー１４は後端側ほど幅が広くなっているためカバー２３がスイッチレバー１４の先端側に移動しにくく外れにくい。
【００２２】
またカバー２３は後端部に器具本体１の下面への係止部２８を外方に突出するように設けている。スイッチレバー１４を使用状態に倒し、図４に示すように係止部２８を器具本体１の周縁部に係止すると、スイッチレバー１４およびカバー２３が確実に器具本体１に固定される。この状態で図１に示すように引き紐２２が垂下し、スイッチ操作が行える。またカバー２３をスイッチレバー１４の先端側に若干移動すると係止部２８が器具本体１から外れるので、スイッチレバー１４を軸受け部１７を中心に反転させることにより、カバー２３およびスイッチレバー１４を器具本体１の収納状態に容易に回動することができる。
【００２３】
この実施の形態によれば、従来スイッチレバーの外れ防止のため、器具本体側に設けていた引掛部をカバー２３側に設けて器具組立時に固定することによりカバー２３をスイッチレバー１４と一体化でき、スイッチレバー１４の収納または引出し操作時にばねをつまんだ時の外れを防止することができる。
【００２４】
また、使用状態でカバー２３の係止部２８が器具本体１の周縁部に係止することにより、引き紐２０を引いてもカバー２３の係止により、スイッチレバー１４が下方に引かれ動くことなくカバー２３に支持される。この点係止部２８を係止しない場合には引き紐２０を引くとスイッチレバー１４の弾性で下方に引かれ動くため引いた引き紐２０を放すと反動でスイッチレバー１４およびカバー２３が天井に当たり騒音や傷つけを発生する。それを防ぐため線ばねの剛性を強めるとカバーの係脱作業がしにくくなる。一方係止部２８を設けた場合には線ばねの弾性を高めることも可能となりカバーの係脱をしやすくできる。
【００２５】
【発明の効果】
請求項１記載の照明器具によれば、スイッチレバーを引き出している状態で、ばね材が直視できないため、外観上の品位の低下を抑えることができる。
【００２６】
請求項２記載の照明器具によれば、請求項１と同様な効果のほか、カバーの取付けが容易にできる。
【００２７】
請求項３記載の照明器具によれば、請求項２と同様な効果のほか、スイッチレバーを覆うカバーにスイッチレバーの保持機構兼外れ防止機構を有することにより、スイッチレバーを本体外側に反転させて引き出す際に、ユーザ操作によるスイッチレバーをつまむ力が大きくなることやスイッチレバーが外れることを防止できる。
【００２８】
請求項４記載の照明器具によれば、請求項２または請求項３と同様な効果のほか、カバーに器具本体への係合部を設けることで、スイッチレバーを反転させて器具本体に引掛けるだけでスイッチレバーを保持固定できるため、引き紐を引いてもスイッチレバーを確実に固定でき天井に当たることもないとともにスイッチレバーの使用および収納の操作性を向上させることができる。
【図面の簡単な説明】
【図１】この発明の一実施の形態の照明器具の上方からみた斜視図である。
【図２】その分解斜視図である。
【図３】スイッチレバー部分の斜視図である。
【図４】スイッチレバー部分の断面図である。
【図５】従来例の分解斜視図である。
【図６】従来例の上方からみた斜視図である。
【図７】そのスイッチレバーを倒す状態を示す部分斜視図である。
【符号の説明】
１　　器具本体
５　　引き紐付きスイッチ
１４　　スイッチレバー
１５　　引き紐挿通部
１６　　軸部
１７　　軸受け部
２０　　引き紐
２３　　カバー
２５　　第１の引掛部
２６　　第２の引掛部
２８　　係止部
【図１】
2004022423.tif 000003
【図２】
2004022423.tif 000004
【図３】
2004022423.tif 000005
【図４】
2004022423.tif 000006
【図５】
2004022423.tif 000007
【図６】
2004022423.tif 000008
【図７】
2004022423.tif 000009